(57)【要約】【課題】支柱を回転させて送風機部の首振りを行え、電線が断線し難い構成の扇風機を得ることを目的とする。【解決手段】本発明の扇風機は、台座ケーシング２１に対して回動可能である台座側接続部５０と、台座側接続部５０に設けられ台座側接続部５０に対して回動可能な台座側電気接点５６と、一方の端部は台座ケーシング２１に固定された制御基板２７に接続されもう一方の端部は台座側電気接点５６に接続された台座側電線５５と、を備えた台座２０と、台座側接続部５０と接続可能である送風機部側接続部４０と、送風機部側接続部４０に対して回動可能に送風機部側接続部４０に設けられ台座側電気接点５６と接続可能な送風機部側電気接点４６と、一方の端部はファンモータ１３に接続されもう一方の端部は送風機部側電気接点４６に接続された送風機部側電線４５と、を備えた送風機部１０と、を有する。【選択図】図１９
2016056687.tif 000002
【特許請求の範囲】
【請求項１】
台座ケーシングと、前記台座ケーシングに固定された電力供給部と、前記台座ケーシングの上面側に設けられ前記台座ケーシングに対して回動可能である台座側接続部と、前記台座側接続部に設けられ前記台座側接続部に対して回動可能な台座側電気接点と、一方の端部は前記電力供給部に接続されもう一方の端部は前記台座側電気接点に接続された台座側電線と、を備えた台座と、
送風機部ケーシングと、前記送風機部ケーシングに固定されたファンモータと、前記台座側接続部と接続可能であり前記送風機部ケーシングの下部側に設けられた送風機部側接続部と、前記送風機部側接続部に対して回動可能に前記送風機部側接続部に設けられ前記台座側電気接点と接続可能な送風機部側電気接点と、一方の端部は前記ファンモータに接続されもう一方の端部は前記送風機部側電気接点に接続された送風機部側電線と、を備えた送風機部と、
を有する扇風機。
【請求項２】
前記台座側接続部と接続可能である第１の支柱側接続部と、前記送風機部側接続部と接続可能である第２の支柱側接続部と、前記第１の支柱側接続部に設けられ前記台座側電気接点と接続可能な第１の支柱側電気接点と、前記第２の支柱側接続部に対して回動可能に前記第２の支柱側接続部に設けられ前記送風機部側電気接点と接続可能な第１の第２の支柱側電気接点と、一方の端部は前記第１の支柱側電気接点に接続されもう一方の端部は前記第２の支柱側電気接点に接続された台座側電線と、を備え、前記第１の支柱側接続部は一方の端部に、前記第２の支柱側接続部はもう一方の端部に設けられている支柱を、備えた請求項１に記載の扇風機。
【請求項３】
前記第１の支柱側電気接点は、前記第１の支柱側接続部に対して回動可能である請求項２に記載の扇風機。
【請求項４】
前記台座側接続部は、前記送風機側接続部と嵌合可能な形状であり、
前記第１の支柱側接続部は、前記台座側接続部と嵌合可能な形状であり、
前記第２の支柱側接続部は、前記送風機側接続部と嵌合可能な形状である請求項２又は３に記載の扇風機。
【請求項５】
前記台座側電気接点は、前記送風機側電気接点と嵌合可能な形状であり、前記台座側電気接点と前記送風機側電気接点とが嵌合すると、前記台座側電気接点と前記送風機側電気接点とが電気的に接続され、
前記第１の支柱側電気接点は、前記台座側電気接点と嵌合可能な形状であり、前記第１の支柱側電気接点と前記台座側電気接点とが嵌合すると、前記第１の支柱側電気接点と前記台座側電気接点とが電気的に接続され、
前記第２の支柱側電気接点は、前記送風機側電気接点と嵌合可能な形状であり、前記第２の支柱側電気接点と前記送風機側電気接点とが嵌合すると、前記第２の支柱側電気接点と前記送風機側電気接点とが電気的に接続される請求項４に記載の扇風機。
【請求項６】
前記台座は、前記台座側接続部を回動させる首振り機構を備えた請求項１から５のいずれかに記載の扇風機。
【請求項７】
前記送風機部側接続部は、前記送風機部ケーシングの下部より突出しており、
前記送風機部側電気接点は、前記送風機部側接続部の突出側の端部に設けられている請求項１から６のいずれかに記載の扇風機。
【請求項８】
前記台座側接続部は、前記台座ケーシングの上面より突出しており、
前記台座側電気接点は、前記台座側接続部の突出側の端部に設けられている請求項１から７のいずれかに記載の扇風機。
【請求項９】
前記ファンモータはＤＣモータである請求項１から８のいずれかに記載の扇風機。
【発明の詳細な説明】
【技術分野】
【０００１】
本発明は、扇風機の構造に関する。
【背景技術】
【０００２】
近年、快適な居住空間へのニーズ又は省エネ意識の高まりから、サーキュレーターによって居住空間の空気を攪拌させることにより、部屋の暖房又は冷房の効果をより効果的に得ようとする動きが増えてきている。このような中、扇風機もサーキュレーターと同様に居住空間の空気を攪拌させる機能を持たせて、年間を通して使用できる扇風機が求められている。
【０００３】
居住空間の空気を効果的に攪拌させるためには、床付近の空気を攪拌する必要がある。そのため、居住空間の空気を攪拌させる機能を有する扇風機には、風を吹き出す送風機部の高さを調整する機能が求められる。送風機部の高さを調整する機能としては、例えば、特許文献１のように、羽根、電動機及びガードを有する送風機部（特許文献１の頭部が該当）と、送風機部を支持する台座とを繋ぐ支柱を着脱可能にし、更に送風機部と台座を直接取り付け可能にした扇風機がある。このような扇風機は支柱を取り外すことにより、送風機部の高さを調整することができる。
【０００４】
また、この扇風機の支柱は、台座に設けられた電源プラグと、送風機部に設けられた電動機と、を電気的に接続するために、支柱に保持された電線と、電線の両端部に設けられた電気接点と、を有している。
【先行技術文献】
【特許文献】
【０００５】
【特許文献１】実開昭５８−１９１４９４号公報
【発明の概要】
【発明が解決しようとする課題】
【０００６】
特許文献１の扇風機の送風機部は、羽根、電動機及びガードの他に、ネックピース等の送風機部の首振りを行う首振り機構を有しているため、重心が高くなっている。
【０００７】
重心を低くしてより扇風機の安定性を良くするためには、首振り機構を台座側に設けて、支柱を回動させることによって、送風機部の首振りを行うような構造が考えられる。このような構造では、台座より立設された台座側接続部（特許文献１の支持筒体３が該当）に一方の端部が保持された電線は、着脱可能な支柱に保持された電線とは異なり、電線の他方の端部は台座に保持されている。このため、首振り時には、台座側接続部は回動するが、台座は回動せず、台座側接続部に保持された電線は、台座に保持された箇所と台座側接続部に保持された箇所との間でねじられてしまう。このねじりによって電線に歪みが生じるため、断線し易いという課題がある。
【０００８】
本発明は、このような課題を解決するためのもので、台座側接続部が回動することで送風機の首振りを行うことができ、電線が断線し難い構成の扇風機を得ることを目的とする。
【課題を解決するための手段】
【０００９】
本発明の扇風機は、台座ケーシングに対して回動可能である台座側接続部と、台座側接続部に設けられ台座側接続部に対して回動可能な台座側電気接点と、一方の端部は台座ケーシングに固定された電力供給部に接続されもう一方の端部は台座側電気接点に接続された台座側電線と、を備えた台座と、台座側接続部と接続可能である送風機部側接続部と、送風機部側接続部に対して回動可能に送風機部側接続部に設けられ台座側電気接点と接続可能な送風機部側電気接点と、一方の端部はファンモータに接続されもう一方の端部は送風機部側電気接点に接続された送風機部側電線と、を備えた送風機部と、を有する。
【発明の効果】
【００１０】
本発明に係る扇風機は、台座側電気接点が台座側接続部に対して回動可能であり、送風機部側電気接点が送風機部側接続部に対して回動可能であるため、送風機部の首振りによって台座側電気接点と電力供給部との区間のみでねじられず、台座側電気接点と電力供給部との区間よりも長い区間でねじられるため、単位長さ当たりの歪み量が少なくなり、断線し難くなる。
【図面の簡単な説明】
【００１１】
【図１】実施の形態１に係る扇風機の送風機部を直接台座に接続した状態を示す正面図である。
【図２】図１の扇風機の送風機部及び台座をそれぞれ分離させた状態を示す正面図である。
【図３】実施の形態１に係る扇風機の送風機部を支柱を介して台座に接続した状態を示す正面図である。
【図４】図３の扇風機の送風機部，支柱及び台座をそれぞれ分離させた状態を示す正面図である。
【図５】実施の形態１に係る扇風機の下面図である。
【図６】図２，図４及び図５のＡ−Ａ断面に該当する、実施の形態１に係る扇風機の台座の断面図である。
【図７】実施の形態１に係る扇風機の送風機部側接続部の下面図である。
【図８】図７のＣ−Ｃ断面に相当する、実施の形態１に係る扇風機の送風機部側接続部の断面図である。
【図９】実施の形態１に係る扇風機の送風機部側接続部の分解断面図である。
【図１０】図８の領域Ｄに相当する、実施の形態１に係る扇風機の送風機部側接続部の拡大断面図である。
【図１１】実施の形態１に係る扇風機の台座側接続部の上面図である。
【図１２】図１１のＥ−Ｅ断面に相当する、実施の形態１に係る扇風機の台座側接続部の断面図である。
【図１３】実施の形態１に係る扇風機の台座側接続部の分解断面図である。
【図１４】図１２の領域Ｆに相当する、実施の形態１に係る扇風機の台座側接続部の拡大断面図である。
【図１５】実施の形態１に係る扇風機の支柱の第一の支柱側接続部側の端部の平面図である。
【図１６】実施の形態１に係る扇風機の支柱の第二の支柱側接続部側の端部の平面図である。
【図１７】図１５のＧ−Ｇ断面に相当する、実施の形態１に係る扇風機の支柱の第一の支柱側接続部側の端部の断面図である。
【図１８】図１６のＨ−Ｈ断面に相当する、実施の形態１に係る扇風機の支柱の第二の支柱側接続部側の端部の断面図である。
【図１９】実施の形態１に係る扇風機において送風機部を直接台座に接続した状態の図５のＢ−Ｂ断面に相当する、扇風機の断面図である。
【図２０】図１９のＩ−Ｉ断面に相当する、実施の形態１に係る扇風機の送風機部側接続部と台座側接続部の嵌合箇所の断面図である。
【図２１】実施の形態１に係る扇風機において支柱を介して送風機部を台座に接続した状態の図５のＢ−Ｂ断面に相当する扇風機の断面図である。
【発明を実施するための形態】
【００１２】
実施の形態１．
図１は、実施の形態１に係る扇風機の送風機部を直接台座に接続した状態を示す正面図である。図２は、図１の扇風機の送風機部及び台座をそれぞれ分離させた状態を示す正面図である。扇風機１００は、送風機部１０と、送風機部１０を支える台座２０を有している。
【００１３】
送風機部１０は、ファン１１と、ファン１１を保護する保護ガード１２と、ファン１１を回転させるＤＣモータであるファンモータ１３（図１９参照）と、ファンモータ１３を収納する送風機部ケーシング１４と、送風機部ケーシング１４に設けられた送風機部側接続部４０と、を備えている。送風機部側接続部４０は、送風機部ケーシング１４の下部側より突出している。
【００１４】
台座２０は、内部に空間を有する台座ケーシング２１と、台座ケーシング２１の上面の中央より突出して設けられた台座側接続部５０を備えている。送風機部側接続部４０の突出側の端部は、後述するように台座側接続部５０の突出側の端部と接続可能な形状であり、送風機部側接続部４０と、台座側接続部５０とが接続することによって、図２のように送風機部１０を台座２０に取り付けることができる。また、台座側接続部５０は、台座ケーシング２１とは別体で形成されており、台座ケーシング２１に対して回動させることができる。
【００１５】
図３は、実施の形態１に係る扇風機の送風機部を支柱を介して台座に接続した状態を示す正面図である。図４は、図３の扇風機の送風機部，支柱及び台座をそれぞれ分離させた状態を示す正面図である。扇風機１００は、送風機部１０及び台座２０と連結可能である支柱３０を有している。
【００１６】
支柱３０の一方の端部には、送風機部側接続部４０の突出側の端部と同様の形状に形成された第一の支柱側接続部３０ａが設けられている。また、支柱３０の他方の端部には、台座側接続部５０の突出側の端部と同様の形状に形成された第二の支柱側接続部３０ｂが設けられている。このため、第一の支柱側嵌合部３０ａは、台座側接続部５０と嵌合することが可能である。第二の支柱側嵌合部３０ｂは、送風機部側接続部４０と嵌合することが可能である。従って、図３のように送風機部１０は、支柱３０を介して台座２０に取り付けることができる。このように実施の形態１の扇風機１００は、支柱３０を着脱することによって、送風機部１０の高さを変更することができる。
【００１７】
次に、実施の形態１の首振り機構について説明する。図５は、実施の形態１に係る扇風機の下面図である。図６は、図２，図４及び図５のＡ−Ａ断面に該当する、実施の形態１に係る扇風機の台座の断面図である。なお、実施の形態１の扇風機の底部は台座ケーシング２１の底板２１ａで覆われているが、図５では説明のため台座２０の台座ケーシング２１の底板２１ａを省略している。台座２０は、首振り用モータ２２と、第一歯車２３と、第二歯車２４と、軸受２５と、軸受固定板２６と、から構成される首振り機構を台座ケーシング２１の内部に有している。首振り用モータ２２は、台座ケーシング２１に固定されている。第一歯車２３は、首振り用モータ２２の駆動軸に取り付けられており、首振り用モータ２２の駆動軸が回転すると、第一歯車２３も回転する。第二歯車２４は、第一歯車２３と噛合っており、第一歯車２３が回転すると、第二歯車２４も回転する。第二歯車２４の回転の中心は台座側接続部５０の長手方向に垂直な断面における中心軸と一致している。また、第二歯車２４には開口が設けられており、開口には後述する台座側電線５５が通っている。軸受２５は、転がり軸受であり、内輪２５ａと外輪２５ｂとの間に転動体２５ｃを備えている。内輪２５ａは、台座側接続部５０と第二歯車２４とによって挟持されている。外輪２５ｂは、台座ケーシング２１と軸受固定板２６とによって挟持されている。なお、実施の形態１では軸受２５に転がり軸受を備えているが、例えばすべり軸受け、磁気軸受及び流体軸受等の他の軸受でも構わない。
【００１８】
首振り用モータ２２の駆動軸が回転すると、首振り用モータ２２の回転力は第一歯車２３及び第二歯車２４を介して台座側接続部５０に伝達される。前述のように台座側接続部５０は台座ケーシング２１に対して回動させることができるため、首振り用モータ２２の回転力によって台座側接続部５０は回動し、首振り運転を行う。また、首振り用モータ２２の回転の向きと台座側接続部５０の回動の向きは連動しており、例えば、実施の形態１では、首振り用モータ２２が時計回りに回転すると台座側接続部５０は反時計回りに回動し、首振り用モータ２２が反時計周りに回転すると台座側接続部５０は時計回りに回動する。
【００１９】
首振り運転時の台座側接続部５０の首振り角度は、首振り用モータ２２の回転角と、第一歯車２３と第二歯車２４の歯車比に比例する。実施の形態１の扇風機の場合、第一歯車２３と第二歯車２４の歯車比は一定であるため、台座側接続部５０の首振り角度は首振り用モータ２２の回転角によって決定される。このため、首振り用モータ２２の回転角を制御することにより、台座側接続部５０の首振り角度を制御することができる。なお、本発明において、首振り用モータ２２の回転角は、３６０°以上の場合も含み、首振り用モータ２２の駆動軸が二回転する場合は７２０°，三回転する場合は１０８０°，Ｎ回転（Ｎは任意の実数）する場合は、（３６０×Ｎ）°である。
【００２０】
台座ケーシング２１の内部には、首振り機構の他に制御基板２７と操作入力基板２８を有している。制御基板２７はスペーサー２７ａ（図１９参照）を介して台座ケーシング２１に固定され、また首振り用モータ２２と電気的に接続されている。制御基板２７は、商用電源等の電源に電気的に接続可能であり、首振り用モータ２２へ電力を供給して首振り用モータ２２を回転させることができる。制御基板２７には、例えばマイコン等の制御部が搭載されており、首振り用モータ２２は、制御部によって制御される。また、制御部は首振り用モータ２２の回転角を制御することができ、制御部には所定の首振り角度だけ台座側接続部５０を回転させるような首振り用モータ２２の回転角が事前に記憶されている。この場合において、まず制御部は、首振り用モータ２２を一方向に事前に記憶された回転角だけ回転させる（ステップＳ１）。ステップＳ１の実行後、制御部は、首振り用モータ２２をステップＳ１の一方向とは逆の方向に事前に記憶された回転角の２倍の角度だけ回転させる（ステップＳ２）。ステップＳ２の実行後、制御部は、首振り用モータ２２をステップＳ１の一方向とは同じ方向に事前に記憶された回転角の２倍の角度だけ回転させる（ステップＳ３）。ステップＳ３の実行後、再びステップＳ２に戻り、ステップＳ２とステップＳ３を繰り返す。このように制御部が首振り用モータ２２を制御することで台座側接続部５０は、首振り用モータ２２が駆動開始する直前の位置を０°としてそれぞれ所定の首振り角度だけ左右に首振り運転を繰り返すことができる。
【００２１】
また、制御基板２７はファンモータ１３と電気的に接続されており、ファンモータ１３は制御基板２７からの電力の供給を受けて回転することができる。このため、実施の形態１の制御基板２７は本発明の電力供給部に相当する。また、制御基板２７の制御部は、ファンモータ１３へ供給する電圧値を変更するなどの手段によってファンモータ１３の回転数を制御することができ、扇風機１００の風量を制御することができる。
【００２２】
操作基板２８は台座ケーシング２１に固定されており、制御基板２７と操作入力基板２８とは基板電線２９によって電気的に接続されている。使用者は扇風機１００の風量及び首振りの有無に関する情報を操作入力基板２８へ入力することが可能である。操作入力基板２８に入力された扇風機１００の風量及び首振りの有無に関する情報は基板電線２９を介して制御基板２７へ伝達される。制御基板２７の制御部は、操作入力基板２８より伝達された情報に応じてファンモータ１３及び首振り用モータ２２の制御を行う。なお、操作入力基板２８に使用者が扇風機１００の風量及び首振りの有無に関する情報を入力する方法としては、例えば操作入力基板２８の一部として、扇風機１００の風量及び首振りの有無のそれぞれに個別に対応した複数の操作スイッチを台座ケーシング２１の上面に設け、使用者は操作スイッチを操作することで操作入力基板２８に扇風機１００の風量及び首振りの有無に関する情報を入力する方法、または操作入力基板２８とは別体で使用者が扇風機１００の風量及び首振りの有無の情報を入力可能であり、入力された情報を送信する送信部を有するリモコンを備え、操作入力基板２８にはリモコンから送信された情報を受信する受信部を設け、使用者はリモコンを操作することで操作入力基板２８に扇風機１００の風量及び首振りの有無に関する情報を入力する方法が挙げられる。
【００２３】
次に、送風機部側接続部４０について説明する。図７は、実施の形態１に係る扇風機の送風機部側接続部の下面図である。図８は、図７のＣ−Ｃ断面に相当する、実施の形態１に係る扇風機の送風機部側接続部の断面図である。図９は、実施の形態１に係る扇風機の送風機部側接続部の分解断面図である。図１０は、図８の領域Ｄに相当する、実施の形態１に係る扇風機の送風機部側接続部の拡大断面図である。送風機部側接続部４０は、円筒形状の送風機部側接続部本体４１と、送風機部側接続部４１の端部に設けられた送風機部側凹型嵌合部４２より構成されている。
【００２４】
送風機部側接続部本体４１は、送風機部側接続部内空間４１ａが形成された中空の円柱形状である。送風機部側接続部本体４１の上端は送風機部ケーシング１４と一体化されており、送風機部側接続部本体４１の下端面には、送風機部側接続部内空間４１ａに連通する円形の開口４１ｂが形成されている。また、送風機部側接続部本体４１の下端面には、開口４１ｂの周に沿って形成された端子受け溝４１ｃと、端子受け溝４１ｃよりも外周側に位置する複数のねじ孔４１ｄが設けられている。
【００２５】
送風機部側凹型嵌合部４２は、窪み部４２ａが形成された断面形状が凹型の円筒形の部材である。送風機部側凹型嵌合部４２の底部４２ｆには複数のねじ孔４２ｂが形成されている。ねじ孔４１ｄ，４２ｂにねじ４３が挿入されることによって、送風機部側接続部本体４１と送風機部側凹型嵌合部４２は、送風機部側接続部本体４１の下端部と送風機部側凹型嵌合部４２の底部４２ｆが対向して固定される。送風機部側凹型嵌合部４２の底部４２ｆには、送風機部側接続部本体４１の開口４１ｂと対向する位置に、窪み部４２ａに連通する円形の開口４２ｃが形成されており、送風機部側凹型嵌合部４２の窪み部４２ａと送風機部側接続部内空間４１ａは連通している。また、送風機部側凹型嵌合部４２の底部４２ｆには、開口４２ｃの周に沿って端子受け溝４２ｄが、送風機部側接続部本体４１の端子受け溝４１ｃと略同様の形状に形成されている。端子受け溝４１ｃ，４２ｄによって送風機部側接続部本体４１と送風機部側凹型嵌合部４２の間には端子受け空間４４が形成されている。更に、送風機部側凹型嵌合部４２の窪み部４２ａの内周面には嵌合用リブ４２ｅが送風機部側凹型嵌合部４２の中心軸を基準として６０°ごとに、中心軸に向かって立設されている。
【００２６】
送風機部側接続部内空間４１ａには、送風機部側電線４５が収納されている。送風機部側電線４５の一方の端部には本発明の送風機部側電気接点に相当する凸型コネクタ４６が設けられている。送風機部側凸型コネクタ４６の外周には円盤型のコネクタ保持板４６ａが形成されている。コネクタ保持板４６ａの送風機部側凸型コネクタ４６の外周と垂直な方向の長さ、つまりコネクタ保持板４６ａの厚さＴ１は、端子受け溝４１ｃ，４２ｄの段差の高さの合計、つまり端子受け空間４４の送風機部側接続部本体４１から凹型嵌合部４２までの距離Ｔ２よりも薄く形成されている。また、コネクタ保持板４６ａの半径Ｒ１は、開口４１ｂ，４２ｃの半径Ｒ２よりも大きく、端子受け溝４１ｃ，４２ｄの半径Ｒ３よりも小さい。このため、コネクタ保持板４６ａは、端子受け空間４４に装入することができる。端子受け空間４４に装入されたコネクタ保持板４６ａは送風機部側接続部本体４１と送風機部側凹型嵌合部４２に挟み込まれているため、送風機部側凸型コネクタ４６は送風機部側接続部４０の軸方向への移動を規制されている。更に、コネクタ保持板４６ａの厚さＴ１は、端子受け空間４４の送風機部側接続部本体４１から送風機部側凹型嵌合部４２までの距離Ｔ２より薄いため、送風機部側凸型コネクタ４６は送風機部側接続部４０の中心軸を中心として送風機部側接続部４０に対して回動可能となっている。また、送風機部側接続部本体４１は送風機部ケーシング１４と一体化されているため、送風機部側凸型コネクタ４６は送風機部ケーシング１４及びファンモータ１３に対しても回動可能となっている。
【００２７】
また、送風機部側電線４５の他方の端部はファンモータ１３に接続されており、送風機部側凸型コネクタ４６とファンモータ１３は、送風機部側電線４５を介して電気的に接続されている。
【００２８】
次に、台座側接続部５０について詳細に説明する。図１１は、実施の形態１に係る扇風機の台座接続部の上面図である。図１２は、図１１のＥ−Ｅ断面に相当する、実施の形態１に係る扇風機の台座側接続部の断面図である。図１３は、実施の形態１に係る扇風機の台座側接続部の分解断面図である。図１４は、図１２の領域Ｆに相当する、実施の形態１に係る扇風機の台座側接続部の拡大断面図である。台座側接続部５０は、台座側接続部本体５１と、台座側接続部本体５１の上端部の台座側凸型嵌合部５１ａに設けられた台座側端子抑え板５２より構成されている。
【００２９】
台座側接続部本体５１は、台座側接続部内空間５１ｂが形成された中空の円柱形状であり、台座側凸型嵌合部５１ａの外径は台座側接続部本体５１の他の部分の外径と比べて小さくなっており、台座側接続部本体５１の上端部の断面形状は凸型となっている。台座側凸型嵌合部５１ａの上端面は、台座側接続部内空間５１ａに連通する円形の開口５１ｃが形成されており、開口４１ｂの周に沿って端子受け溝５１ｄが形成されている。さらに、台座側接続部本体５１の台座側凸型嵌合部５１ａには、台座側接続部本体５１の周方向に突出した嵌合突起部５１ｅが、台座側接続部本体５１の中心軸を基準に１２０°ごとに設けられている。また、嵌合突起部５１ｅには、ねじ孔５１ｆが設けられている。
【００３０】
台座側端子抑え板５２は、台座側接続部本体５１の台座側凸型嵌合部５１ａの上端面と略同様の形状であり、嵌合突起部５２ａが形成された円盤状の部材である。台座側端子抑え板５２には台座側接続部本体５１のねじ孔に対応する位置に、つまり嵌合突起部５２ａにねじ孔５２ｂが形成されている。台座側接続部本体５１と台座側端子抑え板５２は、ねじ孔５１ｆ，５２ｂにねじ５３が挿入されることによって、台座側接続部本体５１の上端部と台座側端子抑え板５２の底面が対向して固定される。台座側端子抑え板５２の台座側接続部本体５１と対向する面には、台座側接続部本体５１の開口５１ｃと対向する位置に台座側端子抑え板５２のもう一方の面に貫通する開口５２ｃが形成されており、台座側接続部内空間５１ｂは開口５１ｃ，５２ｃを介して外部に連通している。また、台座側端子抑え板５２の台座側接続部本体５１と対向する面には、開口５２ｃの周に沿って端子受け溝５２ｄが、台座側接続部本体５１の端子受け溝５１ｄと略同様の形状に形成されている。端子受け溝５１ｄ，５２ｄによって台座側接続部本体５１と台座側端子抑え板５２の間には端子受け空間５４が形成されている。
【００３１】
台座側接続部内空間５１ｂには、台座側電線５５が収納されている。台座側電線５５の一方の端部には本発明の台座側電気接点に相当する台座側凹型コネクタ５６が設けられている。台座側凹型コネクタ５６の外周には円盤型のコネクタ保持板５６ａが形成されている。コネクタ保持板５６ａの台座側凹型コネクタ５６の外周と垂直な方向の長さ、つまりコネクタ保持板５６ａの厚さＴ３は、端子受け溝５１ｄ，５２ｃの段差の高さの合計、つまり端子受け空間５４の台座側接続部本体５１から台座側端子抑え板５２までの距離Ｔ４よりも薄く形成されている。また、コネクタ保持板５６ａの半径Ｒ４は、開口５１ｃ，５２ｃの半径Ｒ５よりも大きく、端子受け溝５１ｄ，５２ｃの半径Ｒ６よりも小さい。このため、コネクタ保持板５６ａは、端子受け空間５４に装入することができる。端子受け空間５４に装入されたコネクタ保持板５６ａは台座側接続部本体５１と端子抑え板５２に挟み込まれているため、台座側凹型コネクタ５６は台座側接続部５０の軸方向への移動を規制されている。更に、コネクタ保持板５６ａの厚さＴ３は、端子受け空間５４の台座側接続部５０から端子抑え板５２までの距離Ｔ４より薄いため、台座側凹型コネクタ５６は台座側接続部５０の中心軸を中心として台座側接続部本体５１に対して回動可能となっている。
【００３２】
台座側電線５５の他方の端部は制御基板２６に接続されており、台座側凹型コネクタ５６と制御基板２６は台座側電線５５を介して電気的に接続されている。
【００３３】
次に支柱３０について説明する。図１５は、実施の形態１に係る扇風機の第一の支柱側接続部側の端部の平面図である。図１６は、実施の形態１に係る扇風機の支柱の第二の支柱側接続部側の平面図である。図１７は、図１５のＧ−Ｇ断面に相当する、実施の形態１に係る扇風機の支柱の第一の支柱側接続部側の端部の断面図である。図１８は、図１６のＨ−Ｈ断面に相当する、実施の形態１に係る扇風機の支柱の第二の支柱側接続部側の端部の断面図である。支柱３０の一方の端部には前述のように第一の支柱接続部３０ａが設けられおり、他方の端部には第二の支柱接続部３０ｂが設けられている。また、支柱３０は、内部に支柱内空間３１ａが形成された中空の円筒形状の支柱本体３１と、支柱本体３１の第一の支柱側接続部３０ａ側に設けられた支柱側凹型嵌合部３２と、支柱本体３１の第二の支柱側接続部３０ｂ側に設けられた支柱側端子抑え板３３と、で構成されている。
【００３４】
第一の支柱接続部３０ａは、支柱本体３１に支柱側凹型嵌合部３２が取り付けられて形成されており、送風機部側接続部４０と同様の形状、つまり図７と同様の形状である。また、第一の支柱接続部３０ａの断面図及び分解断面図についても図８及び図９と同様の構成となっている。このため、支柱本体３１の一方の端面には、送風機部側接続部本体４１の開口４１ｂ，端子受け溝４１ｃ及びねじ孔４１ｄにそれぞれ対応する開口３１ｂ，端子受け溝３１ｃ及びねじ孔３１ｄが形成されている。また、支柱側凹型嵌合部３２には、送風機部側凹型嵌合部４２の窪み部４２ａ，ねじ孔４２ｂ，開口４２ｃ，端子受け溝４２ｄ及び嵌合用リブ４２ｅにそれぞれ対応する窪み部３２ａ，ねじ孔３２ｂ，開口３２ｃ，端子受け溝３２ｄ及び嵌合用リブ３２ｅが形成されている。さらに、支柱本体３１と支柱側凹型嵌合部３２は、ねじ孔３１ｄ，３２ｂにねじ３４ａが挿入されることによって、支柱本体３１の一方の端面と支柱側凹型嵌合部３２の底部３２ｆが対向して固定される。また、支柱３０の一方の端部には、本発明の第一の支柱側電気接点に相当する送風機部側凸型コネクタ４６と同形状の支柱側凸型コネクタ３５が設けられており、支柱側凸型コネクタ３５の外周には円盤型のコネクタ保持板３５ａが形成されている。支柱側凸型コネクタ３５は、端子受け溝３１ｃ，３２ｄにより形成される端子受け空間３６にコネクタ保持板３５ａが装入されることによって、送風機部側凸型コネクタ４６と同様の理由で、支柱３０の軸方向への移動が規制されると同時に、支柱３０の中心軸を中心として支柱本体３１に対して回動可能になっている。
【００３５】
第二の支柱接続部３０ｂは、支柱本体３１に支柱側端子抑え板３３が取り付けられて形成されており、台座側接続部５０と同様の形状、つまり図１１と同様の形状である。また、第二の支柱接続物３０ｂの断面図及び分解断面図についても図１２及び図１３と同様の構成となっている。このため、支柱本体３１の他方の端部には、台座側凸型嵌合部５１ａに対応する支柱側凸型嵌合部３１ｅが形成されており、支柱本体３１の他方の端部の断面形状は凸型となっている。さらに、支柱側凸型嵌合部３１ｅには、台座側接続部本体５１の嵌合突起部５１ｅに相当する嵌合突起部３１ｆが、台座側接続部本体５１の中心軸を基準に１２０°ごとに設けられている。支柱側凸型嵌合部３１ｅの端面には、台座側接続部本体５１の開口５１ｃ、端子受け溝５１ｄ及びねじ孔５１ｆにそれぞれ対応する開口３１ｇ，端子受け溝３１ｈ及びねじ孔３１ｉが形成されている。また、支柱側端子抑え板３３には、台座側端子抑え板５２の嵌合突起部５２ａ，ねじ孔５２ｂ，開口５２ｃ及び端子受け溝５２ｄにそれぞれ対応する嵌合突起部３３ａ，ねじ孔３３ｂ，開口３３ｃ及び端子受け溝３３ｄが形成されている。さらに、支柱本体３１と支柱側端子抑え板３３は、ねじ孔３１ｉ，３３ｂにねじ３４ｂが挿入されることによって、支柱本体３１の他方の端面と支柱側端子抑え板３３の底面が対向して固定される。また、支柱３０の他方の端部には、本発明の第二の支柱側電気接点に相当する台座側凹型コネクタ５６と同形状の支柱側凹型コネクタ３７が設けられており、支柱側凹型コネクタ３７の外周にはコネクタ保持板３７ａが形成されている。支柱側凹型コネクタ３７は、端子受け溝３１ｈ，３３ｄにより形成される端子受け空間３８にコネクタ保持板３７ａが装入されることによって、台座側凹型コネクタ５６と同様に、支柱３０の軸方向への移動が規制されると同時に、支柱３０の中心軸を中心として支柱本体３１に対して回転可能になっている。
【００３６】
支柱内空間３１ａには、支柱側電線３９が収納されている。支柱側電線３９の一方の端部は支柱側凸型コネクタ３５に接続されており、他方の端部は第支柱側凹型コネクタ３６に接続されている。従って、支柱側凸型コネクタ３５と支柱側凹型コネクタ３６とは支柱側電線３９を介して電気的に接続されている。
【００３７】
次に、送風機部側接続部４０，台座側接続部５０及び支柱３０の嵌合に関して詳細に説明する。図１９は、実施の形態１に係る扇風機において送風機部を直接台座に接続した状態の図５のＢ−Ｂ断面に相当する、扇風機の断面図である。図２０は、図１９のＩ−Ｉ断面に相当する、実施の形態１に係る扇風機の送風機部側接続部と台座側接続部の嵌合箇所の断面図である。図２１は、実施の形態１に係る扇風機において支柱を介して送風機部を台座に接続した状態の図５のＢ−Ｂ断面に相当する扇風機の断面図である。なお、図１９及び図２１において、首振り機構と、操作入力基板２８と、台座２０の断面の両端部については図示を省略する。
【００３８】
図１６のように、送風機部側凹型嵌合部４２と台座側凸型嵌合部５１ａとが嵌合することによって、送風機部側接続部４０と台座側接続部５０は接続される。また、台座側接続部５０の嵌合突起部５１ｅ，５２ａは、送風機部側接続部４０の嵌合用リブ４２ｅ同士の間に位置している。さらに、送風機部側接続部４０と台座側接続部５０が接続される際に送風機部側凸型コネクタ４６と台座側凹型コネクタ５６も接続されるため、制御基板２６とファンモータ１３は、台座側電線５５，台座側凹型コネクタ５６，送風機部側凸型コネクタ４６及び送風機部側電線４５を介して電気的に接続され、ファンモータ１３に電力を供給することができる。
【００３９】
送風機部側接続部４０と台座側接続部５０が接続された状態において、首振り機構が台座側接続部５０を回転させると、嵌合突起部５１ｅ，５２ａは嵌合用リブ４２ｅと接触し、首振り機構による台座側接続部５０を回動させる力は、嵌合突起部５１ｅと嵌合用リブ４２ｅを介して送風機部側接続部４０に伝達される。このように、首振り機構は送風機部側接続部４０及び送風機部１０を台座ケーシング２１に対して回動させることができ、首振り運転を行うことができる。
【００４０】
また、図１９のように台座側凸型嵌合部５１ａと支柱側凹型嵌合部３２とが嵌合することで台座側接続部５０と支柱３０の第一の支柱側嵌合部３０ａとが接続され、送風機部側凹型嵌合部４２と支柱側凸型嵌合部３１ｅとが嵌合することで送風機部側接続部４０と支柱３０の第二の支柱側嵌合部３０ｂとが接続される。さらに、台座側接続部５０と支柱３０が接続される際に、台座側凹型コネクタ５６と支柱側凸型コネクタ３５とが接続され、送風機部側接続部４０と支柱３０が接続される際に、台座側凸型コネクタ４６と支柱側凹型コネクタ３６とが接続されるため、制御基板２６とファンモータ１３は、台座側電線５５，台座側凹型コネクタ５６，支柱側凸型コネクタ３５，支柱側電線３９，支柱側凹型コネクタ３６，送風機部側凸型コネクタ４６及び送風機部側電線４５を介して電気的に接続され、ファンモータ１３に電力を供給することができる。
【００４１】
送風機部側接続部４０と台座側接続部５０が支柱３０を介して接続された状態においても、首振り機構が台座側接続部５０を回動させると、台座側接続部５０の嵌合突起部５１ｅ，５２ａは支柱３０の嵌合用リブ３２ｅと接触し、首振り機構の台座側接続部５０を回動させる力は、支柱３０に伝達される。また、支柱３０の嵌合突起部３１ｆ，３３ａは、送風機部側接続部４０の嵌合用リブ４２ｅと接触し、送風機部側接続部４０にも首振り機構の台座側接続部５０を回動させる力は送風機部側接続部４０に伝達される。このように、首振り機構は、支柱３０，送風機部側接続部４０及び送風機部１０を台座ケーシング２１に対して回動させることができ、首振り運転を行うことができる。
【００４２】
送風機部側接続部４０と台座側接続部５０が直接接続された場合及び送風機部側接続部４０と台座側接続部５０が支柱３０を介して接続された場合の双方ともに、首振り運転時には、送風機部１０のファンモータ１３と、台座ケーシング２１に固定された制御基板１０と、を接続する台座側電線５５は首振り運転によってねじられてしまう。この台座側電線５５のねじり量は、首振り角度に比例している。
【００４３】
従来の扇風機において、送風機部側電線，台座側電線及び支柱側電線は、例えばインサート成形によって埋め込まれる等の手段によって、それぞれ送風機部側接続部，台座側接続部及び支柱に対して一体化されて保持されていた。この場合において、各電線のうち送風機部側接続部，台座側接続部及び支柱との保持箇所は、首振り運転によって首振り角度分だけ角度で台座ケーシングに対して回動する。制御基板は台座ケーシングに固定されており、台座側電線は、台座側接続部との保持箇所と制御基板との保持箇所の間の区間にあるため、台座側電線は首振り運転によってねじられていた。これに対して、送風機部側電線は、送風機部側接続部との保持箇所とファンモータとの保持箇所の間の区間にあるため、送風機部側電線はねじられていなかった。また、支柱側電線は、一方の端部側の支柱と支柱側電線の保持箇所と、他方の端部側の支柱と支柱側電線の保持箇所の間の区間にあるため、支柱側電線もねじられていなかった。このため、送風機部側接続部と台座側接続部が直接接続された場合及び送風機部側接続部と台座側接続部が支柱を介して接続された場合の双方ともに、台座側電線のみが首振り運転によってねじられていた。
【００４４】
実施の形態１の扇風機において、台座側電線５５の台座側接続部５０との保持箇所である台座側凹型コネクタ５６と、送風機部側電線４５の送風機部側接続部４０との保持箇所である支柱側凸型コネクタ４６は、それぞれ台座側接続部５０と送風機部側接続部４０に対して台座側接続部５０及び送風機部側接続部４０の中心軸を中心として回動可能に保持されている。また、支柱側電線３９の一方の端部側の支柱３０との保持箇所である支柱側凸型コネクタ３５と、他方側の支柱３０との保持箇所である支柱側凹型コネクタ３６についても、支柱３０に対して、支柱３０の中心軸を中心として回動可能に保持されている。このため、台座側凹型コネクタ５６と、送風機部側凸型コネクタ４６と、支柱側凸型コネクタ３５と、支柱側凹型コネクタ３６は、首振り運転によって台座側接続部５０，送風機部側接続部４０及び支柱３０とはそれぞれ異なる角度で台座ケーシング２１に対して回動することができる。従って、送風機部側接続部４０と台座側接続部５０が直接接続された場合には、台座側電線５５と送風機部側電線４５が、ファンモータ１３と制御基板２６の間の区間で、一体となってねじられる。また、送風機部側接続部４０と台座側接続部５０が支柱３０を介して接続された場合には、台座側電線５５と、支柱側電線３９と、送風機部側電線４５が、ファンモータ１３と制御基板２６の間の区間で、一体となってねじられる。
【００４５】
電線にはねじりによって歪みが生じ、歪みは電線が断線する原因となるため、なるべく歪み量は小さい方が望ましい。ねじりによる電線の歪み量は、単位長さ当たりのねじれ角に比例し、単位長さ当たりのねじれ角は、ねじれが生じる区間の間隔が長く、首振り角度が小さいほど小さくなる。つまり、電線は、ねじれが生じる区間の間隔が長く、首振り角度が小さいほど断線し難くなる。従来の電線と支柱が一体化されている扇風機において、ねじれが生じる区間は台座側接続部との保持箇所と制御基板との保持箇所の間であり、この区間の間隔は台座側電線の全長よりも長く取ることはできない。これに対して、実施の形態１の扇風機において、ねじれが生じる区間はファンモータ１３と制御基板２６の間の区間である。この区間の間隔は、送風機部側接続部４０と台座側接続部５０が直接接続された場合には台座側電線５５の全長と送風機部側電線４５の全長とを足し合わせた長さであり、送風機部側接続部４０と台座側接続部５０が支柱３０を介して接続された場合には、台座側電線５５の全長と支柱側電線３９の全長と送風機部側電線４５の全長とを足し合わせた長さである。従って、実施の形態１の扇風機は、従来の電線と支柱が一体化されている扇風機よりも、ねじれが生じる区間を長く取ることができるため、ねじりによる電線の歪み量は小さくなり、ファンモータと制御基板とを接続する電線は断線し難くなる。
【００４６】
また、首振り機構による首振り運転では、首振り機構は、送風機部１０，送風機部側接続部４０及び台座側接続部５０を、台座側接続部５０及び送風機部側接続部４０の中心軸を中心として繰り返し回動させる。この際に、ファンモータと制御基板とを接続する電線も繰り返しねじられるため、電線の機械的な強度は疲労によって低下してしまい、最終的には疲労破壊によって断線してしまう。また、ねじれによる歪み量が大きいほど疲労による電線の機械的な強度の低下は顕著になり、断線に至るまでのねじれの回数は歪み量が大きいほど少なくなる。実施の形態１の扇風機は、従来の電線と支柱が一体化されている扇風機よりも、ねじりによる電線の歪み量が小さくなるため、断線に至るまでのねじれの回数も多くなり、疲労破壊による観点からも電線は断線し難くなる。
【００４７】
以上のように、実施の形態１の扇風機１００は、台座側凹型コネクタ５６と、送風機部側凸型コネクタ４６と、支柱側凸型コネクタ３５と、支柱側凹型コネクタ３６は、それぞれ台座側接続部５０と、送風機部側接続部４０と、支柱３０に対して回動することができる構成にしたことによって、ファンモータと制御基板とを接続する電線のねじれによる歪み量が小さくなり、電線が断線し難くなっている。
【００４８】
さらに、実施の形態１の扇風機１００では、従来の扇風機よりもねじれが生じる区間の間隔を長く取ることで歪み量が小さくなるため、従来の扇風機よりも首振り角度を大きく設定することができるため、広範囲に気流を送風することができる。
【００４９】
また、実施の形態１の扇風機１００では、台座側電線５５と送風機部側電線４５とが一体となってねじられるため、従来の扇風機よりも台座側電線５５を短くすることができる。台座側電線５５を短くすることにより、台座側接続部５０の長さも短くすることができるため、送風機部側接続部４０と台座側接続部５０が直接接続された場合における扇風機１００の高さを低くすることができる。
【００５０】
さらに、実施の形態１の扇風機１００では、首振り機構が台座２０に収納されているため、送風機部１０の重量は首振り機構の重量分だけ軽くなっている。送風機部１０の重量が重いと、扇風機の重心が高くなってしまい、扇風機が容易に転倒してしまう。また、支柱を着脱することで高さを調整する扇風機は、扇風機の高さを調整する場合において、一度送風機部を支柱又は台座から取り外してから支柱を着脱するため、送風機部の重量が重いと使用者は高さの調整に不便さを感じる。実施の形態１の扇風機では、首振り機構の重量分だけ送風機部１０の重量が軽くなっているので、高さの調整が行い易くなっている。特に、台座２０に首振り機構が収納されているため、台座２０の重量が首振り機構の重量分増えており、扇風機１００の重心が低くなっている。また、実施の形態１のファンモータ１３は、ＤＣモータであるため、一般的にファンモータに用いられるＡＣモータと比較して、更に送風機部１０の軽量化ができ、扇風機１００の重心が低くなる。
【００５１】
なお、実施の形態１の扇風機１００において、支柱３０は一本だけであるが、支柱３０の本数は二本以上であっても構わない。支柱の本数が二本以上の場合は、支柱の本数が二本以上であっても、それぞれの支柱の第一及び第二の支柱側電気接点が第一及び第二の支柱側接続部に対して回動可能な構成になっていれば、実施の形態１の扇風機と同様に電線が断線し難くなる効果を発揮することができる。また、第一の支柱側接続部は送風機部側接続部と同様の形状であり、第二の支柱側接続部は台座側接続部と同様の形状であるため、支柱の本数が二本以上ある場合には、ある支柱の第一の支柱側接続部に別の支柱の第二の支柱側接続部を接続することができる。このため、支柱の本数が二本以上ある場合には、送風機部と台座の間に介在させる支柱の本数によって扇風機の高さを変更することができるという効果を奏する。更に、支柱の本数が二本以上ある場合において、それぞれの支柱の長さを異なる長さに設定することによって、送風機部と台座の間に介在させる支柱の長さを変更することでも扇風機の高さを変更することができるという効果を奏する。また、支柱が無く、送風機部と台座を直接接続する場合のみに用いる扇風機であっても、実施の形態１の扇風機と同様に電線が断線し難くなる効果を発揮することができる。
【００５２】
また、実施の形態１の扇風機１００において、コネクタ保持板４６ａ，５６ａ，３５ａ，３７ａが、端子受け空間４４，５４，３６，３８にそれぞれ装入されることによって、送風機部側電線４５，台座側電線５５及び支柱側電線３９は、それぞれ送風機部側接続部４０，台座側接続部５０及び支柱３０に対して軸方向への移動を規制されているが、これに限らず、送風機部側電線と、台座側電線と、支柱側電線の軸方向への移動を規制すると同時に、送風機側電気接点と、台座側電気接点と、第一の支柱側電気接点と、第二の支柱側電気接点と、をそれぞれ送風機側接続部と、台座側接続部と、第一の支柱側接続部と、第二の支柱側接続部とに対して回動可能な構成であれば良い。例えば、送風機部側電線の外周に、コネクタ保持板に相当する円盤型の電線保持板が形成されており、電線保持板が端子受け空間４４にそれぞれ装入されていても構わない。また、コネクタ保持板を設けず、端子受け空間４４に軸受を装入し、軸受の外輪は送風機部支柱本体４１及び送風機部側凹型嵌合部４２と接し、内輪は送風機側凸型コネクタ４６に接するように構成しても構わない。
【００５３】
さらに、実施の形態１の扇風機１００において、支柱側凹型コネクタ３６、つまり支柱側電線３９と支柱４０との送風機支柱４０側の保持箇所は支柱接続部に対して回動可能な構成になっているが、インサート成形などの支柱接続部に対して回動できない構成になっていても構わない。この場合においても、送風機部側接続部と台座側接続部が支柱を介して接続された際において、支柱側電線３９の送風機支柱４０側の保持箇所と制御基板２６の間の区間で、台座側電線と支柱側電線が一体となってねじられるため、ねじれが生じる区間の間隔は台座側電線と支柱側電線の全長を足し合わせた長さとなるため、ねじりによる電線の歪み量は小さくなり、ファンモータと制御基板とを接続する電線は断線し難くなる。
【００５４】
また、実施の形態１の扇風機１００において、送風機部側接続部４１と凹型嵌合部４２，台座側接続部本体５１と台座側端子抑え板５２，支柱本体３１と支柱側凹型嵌合部３２並びに支柱本体３１と支柱側端子抑え板３３は、別体で形成されており、ねじで固定されているがこれに限らない。例えば、支柱本体３１と支柱側凹型嵌合部３２を、接着剤による接着等の手段で一体化しても構わない。また、支柱が、支柱本体と支柱側凹型嵌合部と支柱側端子抑え板とが一体になって形成されている場合でも、支柱を支柱の中心軸に対して左右に２つのパーツに分割し、コネクタ保持板を分割した支柱のパーツで左右から挟持するように構成しても良い。
【００５５】
さらに、実施の形態１の扇風機１００において、首振り機構は、首振りモータ２１，第一歯車２２，第二歯車２３，軸受２４及び軸受固定板２５より構成されているが、これに限らず、首振りモータの回転力を、ベルトによって送風機部側接続部に伝達する構成、又はクランク機構によって送風機部側接続部に伝達する構成等の首振りモータの回転力を送風機部側接続部に伝達する構成であれば良い。また、首振り機構は無くても良く、使用者が台座ケーシングに対して、台座側接続部，支柱，送風機支柱及び送風機部を手動で回動させて送風機部の風向きを変える場合でも、手動で回動させる場合に生じるねじりによる電線の歪み量は小さくなるため、実施の形態１の扇風機１００と同様の効果を得ることができる。
【００５６】
また、実施の形態１の扇風機１００において、送風機部側接続部４０の送風機部側本体４１は送風機部ケーシング１４の下部から突出しており、台座側接続部５０の台座側本体５１は台座ケーシング２１の上面から突出しているが、これに限らない。例えば、台座の上面より台座側接続部本体を突出させず、台座の上面に台座ケーシングに対して回動自在な台座側凸型嵌合部を直接設け、台座側凸型嵌合部のみを台座側接続部本体としても構わない。この場合にも、台座側電線は台座側凸型嵌合部に設けられた台座側電気接点と台座内部の制御基板に接続され、台座側電気接点は台座側接続部に対して回動可能であるため、実施の形態１の扇風機と同様の効果を得ることができる。また、ケーシングの下部より送風機部側接続部本体を突出させず、送風機部側接続部本体の代わりに送風機部ケーシング下部に開口と端子受け溝を形成し、送風機部側凹型嵌合部を送風機部ケーシング下部に直接接続しても構わない。この場合には、送風機部側凹型嵌合部が送風機側接続部に相当し、端子受け空間は送風機部ケーシングと送風機部側凹型嵌合部との間に形成されているため、送風機部側電気接点は送風機側接続部に介して回動可能であるため、実施の形態１の扇風機と同様の効果を得ることができる。
【００５７】
さらに、実施の形態１の扇風機１００において、台座側電線５５が接続されている制御基板２７の制御部はファンモータ１３及び首振りモータ２２を制御しているが、これに限らず、首振りモータ２２を制御する制御部を搭載した制御基板を別途設け、台座側電線が接続されている制御基板の制御部はファンモータ１３を制御する構成にしても良い。この場合、台座側電線が接続されている制御基板が、本発明の電力供給部に相当する。またに、実施の形態１の制御基板２７及び操作入力基板２８をまとめて、一つの基板で構成しても構わない。さらに、本発明の電力供給部は、実施の形態１のように制御基板２７のみに限らず、例えば商用電源等の電源からの電力をファンモータへ供給されるか否かを切り替える開閉器のように、ファンモータへ電力を供給することができれば、基板のみに限らない。
【００５８】
また、実施の形態１の扇風機１００において、台座側接続部５０は、凸型の形状であり、台座側電気接点として凹型コネクタを有し、送風機部側接続部４０は、凹型の形状であり、送風機部側電気接点として凸型コネクタを有しているが、これに限らない。台座側電気接点及び送風機側電気接点は、実施の形態１の台座側凹型コネクタ５６及び送風機部側凸型コネクタ４６に限らず、台座側電気接点と送風機側電気接点とが接続し、制御基板とファンモータが接続できれば良い。このような台座側電気接点と送風機部側電気接点としては、例えば、台座側電気接点と送風機部側電気接点が嵌合可能な形状である場合、台座側電気接点と送風機部側電気接点に極性の異なる磁石を設け磁力によって接続する場合が挙げられる。また、台座側接続部及び送風機部側接続部は、台座側接続部と送風機部接続部が機械的に接続可能であれば良い。機械的に接続可能な台座側接続部と送風機部接続部の例として、例えば、台座側接続部と送風機部接続部が嵌合可能な形状である場合、台座側接続部と送風機部接続部が留め金等の固定具を有しており当該固定具を用いて固定する場合、台座側接続部と送風機部接続部をねじ止めによって固定する場合、台座側接続部と送風機部接続部に極性の異なる磁石を設け磁力によって固定する場合が挙げられる。さらに、台座側電気接点及び送風機部側電気接点についても実施の形態１の台座側凹型コネクタ５６及び送風機部側凸型コネクタ４６の形状に限らず、台座側電気接点と送風機部側電気接点が接続可能であれば良い。また、支柱の第一の支柱側嵌合部と第二の支柱側嵌合部と第一の支柱側電気接点と第二の支柱側電気接点とについても、それぞれ台座側接続部と送風機部側接続部と台座側電気接点と送風機部側電気接点とに接続可能であれば良い。
【符号の説明】
【００５９】
１０  送風機部、１１  ファン、１２  保護ガード、１３  ファンモータ、１４  送風機部ケーシング、２０  台座、２１  台座ケーシング、２２  首振り用モータ、２３  第一歯車、２４  第二歯車、２５  軸受、２５ａ  内輪、２５ｂ  外輪、２５ｃ  転動体、２６  軸受固定板、２７  制御基板、２７ａ  スペーサー、２８  操作入力基板、２９  基板間電線、３０  支柱、３０ａ  第一の支柱側接続部、３０ｂ  第二の支柱側接続部、３１  支柱本体、３１ａ  支柱内空間、３１ｂ  開口、３１ｃ  端子受け溝、３１ｄ  ねじ孔、３１ｅ  支柱側凸型嵌合部、３１ｆ  嵌合突起部、３１ｇ  開口、３１ｈ  端子受け溝、３１ｉ  ねじ孔、３２  支柱側凹型嵌合部、３２ａ  窪み部、３２ｂ  ねじ孔、３２ｃ  開口、３２ｄ  端子受け溝、３２ｅ  嵌合用リブ、３２ｆ  底部、３３  支柱側端子抑え板、３３ａ  嵌合突起部、３３ｂ  ねじ孔、３３ｃ  開口、３３ｄ  端子受け溝、３４ａ  ねじ、３４ｂ  ねじ、３５  支柱側凸型コネクタ、３５ａ  コネクタ保持板、３６  端子受け空間、３７  支柱側凹型コネクタ、３７ａ  コネクタ保持板、３８  端子受け空間、３９  支柱側電線、４０  送風機部側接続部、４１  送風機部側接続部、４１ａ  送風機部側接続部内空間、４１ｂ  開口、４１ｃ  端子受け溝、４１ｄ  ねじ孔、４２  送風機部側凹型嵌合部、４２ａ  窪み部、４２ｂ  ねじ孔、４２ｃ  開口、４２ｄ  端子受け溝、４２ｅ  嵌合用リブ、４２ｆ  底部、４３  ねじ、４４  端子受け空間、４５  送風機部側電線、４６  送風機部側凸型コネクタ、４６ａ  コネクタ保持板、５０  台座側接続部、５１  台座側接続部本体、５１ａ  台座側凸型嵌合部、５１ｂ  台座側接続部内空間、５１ｃ  開口、５１ｄ  端子受け溝、５１ｅ  嵌合突起部、５１ｆ  ねじ孔、５２  端子抑え板、５２ａ  嵌合突起部、５２ｂ  ねじ孔、５２ｃ  開口、５２ｄ  端子受け溝、５３  ねじ、５４  端子受け空間、５５  台座側電線、５６  台座側凹型コネクタ、５６ａ  コネクタ保持板、１００  扇風機
【図１】
2016056687.tif 000003
【図２】
2016056687.tif 000004
【図３】
2016056687.tif 000005
【図４】
2016056687.tif 000006
【図５】
2016056687.tif 000007
【図６】
2016056687.tif 000008
【図７】
2016056687.tif 000009
【図８】
2016056687.tif 000010
【図９】
2016056687.tif 000011
【図１０】
2016056687.tif 000012
【図１１】
2016056687.tif 000013
【図１２】
2016056687.tif 000014
【図１３】
2016056687.tif 000015
【図１４】
2016056687.tif 000016
【図１５】
2016056687.tif 000017
【図１６】
2016056687.tif 000018
【図１７】
2016056687.tif 000019
【図１８】
2016056687.tif 000020
【図１９】
2016056687.tif 000021
【図２０】
2016056687.tif 000022
【図２１】
2016056687.tif 000023